(57)【要約】【課題】  筐体内部に占めるスペースを低減できるボタンを有する電子機器を提供する。【解決手段】  電子機器は、開口部２４が設けられた筐体と、開口部２４の内側で進退可能に嵌ったボタン２５と、筐体の内部に収容されるとともに、ボタン２５の押し込みを検知するスイッチ３５が取り付けられたプリント配線板と、一対の支持部２８と、を具備する。各支持部２８は、プリント配線板の両端部を支持するように筐体の内部にそれぞれ突出するとともに、ボタン２５のストッパを兼ねる。【選択図】図７
2011134497.tif 000002
【特許請求の範囲】
【請求項１】
開口部が設けられた筐体と、
前記開口部の内側で進退可能に嵌ったボタンと、
前記筐体の内部に収容されるとともに、前記ボタンの押し込みを検知するスイッチが取り付けられたプリント配線板と、
前記プリント配線板の両端部を支持するように前記筐体の内部にそれぞれ突出するとともに、前記ボタンのストッパを兼ねた一対の支持部と、
を具備することを特徴とする電子機器。
【請求項２】
前記支持部は、第１の面と、前記第１の面に設けられるとともに前記ボタンに向けて突出したボスと、前記第１の面とは反対側の第２の面と、を含み、
前記プリント配線板は、前記支持部の前記第２の面に固定されることを特徴とする請求項１に記載の電子機器。
【請求項３】
前記プリント配線板を前記支持部に固定するための固定具を具備し、
前記ボスの内側には、固定具が固定されるインサートが設けられることを特徴とする請求項２に記載の電子機器。
【請求項４】
前記プリント配線板を前記支持部に固定するための固定具を具備し、
前記ボスの内側には、固定具が固定される固定孔が設けられることを特徴とする請求項２に記載の電子機器。
【請求項５】
開口部が設けられた筐体と、
前記開口部の内側で進退可能に嵌ったボタンと、
前記筐体の内部に収容される部品と、
前記部品を固定できるように前記筐体内部に突出するとともに、前記ボタンのストッパを兼ねた支持部と、
を具備することを特徴とする電子機器。
【請求項６】
前記支持部は、第１の面と、前記第１の面に設けられるとともに前記ボタンに向けて突出したボスと、前記第１の面とは反対側の第２の面と、を含み、
前記部品は、前記支持部の前記第２の面に固定されることを特徴とする請求項５に記載の電子機器。
【請求項７】
前記部品を前記支持部に固定するための固定具を具備し、
前記ボスの内側には、固定具が固定されるインサートが設けられることを特徴とする請求項６に記載の電子機器。
【請求項８】
前記部品を前記支持部に固定するための固定具を具備し、
前記ボスの内側には、固定具が固定される固定孔が設けられることを特徴とする請求項６に記載の電子機器。
【請求項９】
前記部品は、前記ボタンの押し込みを検知するスイッチが取り付けられたプリント配線板であることを特徴とする請求項７または請求項８に記載の電子機器。
【発明の詳細な説明】
【技術分野】
【０００１】
本発明は、ボタンを有する電子機器に関する。
【背景技術】
【０００２】
押しボタンスイッチの実装構造が開示されている。この実装構造は、装置筐体の底面に設けられたボスと、ボスにねじで固定された実装基板と、実装基板の一の面に実装された押しボタンスイッチと、押しボタンスイッチに対向するように設けられた操作ボタンと、を備えている。操作ボタンの背面には、実装基板の端面およびストッパに対応するストッパリブが設けられている。
【０００３】
ユーザが所定のストロークを超えて操作ボタンを押下すると、ストッパリブが実装基板の端面およびストッパに当接する。これによって、押しボタンスイッチに強い力が作用しても、押しボタンスイッチが壊れてしまうことがないようになっている（例えば、特許文献１参照）。
【先行技術文献】
【特許文献】
【０００４】
【特許文献１】特開２００１−１５９５９号公報
【発明の概要】
【発明が解決しようとする課題】
【０００５】
しかしながら、上記従来の押しボタンのスイッチの実装構造では、筐体の内部における使用スペースが大きくなっており、近年の小型の電子機器にはそのまま適用することが難しくなっていた。
【０００６】
本発明の目的は、筐体内部に占めるスペースを低減できるボタンを有する電子機器を提供することにある。
【課題を解決するための手段】
【０００７】
前記目的を達成するため、本発明の一つの形態に係る電子機器は、開口部が設けられた筐体と、前記開口部の内側で進退可能に嵌ったボタンと、前記筐体の内部に収容されるとともに、前記ボタンの押し込みを検知するスイッチが取り付けられたプリント配線板と、前記プリント配線板の両端部を支持するように前記筐体の内部にそれぞれ突出するとともに、前記ボタンのストッパを兼ねた一対の支持部と、を具備する。
【０００８】
前記目的を達成するため、本発明の他の形態に係る電子機器は、開口部が設けられた筐体と、前記開口部の内側で進退可能に嵌ったボタンと、前記筐体の内部に収容される部品と、前記部品を固定できるように前記筐体内部に張り出すとともに、前記ボタンのストッパを兼ねた支持部と、を具備する。
【発明の効果】
【０００９】
上記の構成によれば、筐体内部に占めるスペースを低減できるボタンを有する電子機器を提供できる。
【図面の簡単な説明】
【００１０】
【図１】第１の実施形態に係るポータブルコンピュータを示す斜視図。
【図２】図１に示すポータブルコンピュータの本体ユニットを示す上面図。
【図３】図２に示す本体ユニットの本体ケースの一部を下方から示した下面図。
【図４】図３に示す本体ケースから補強板を取り外した状態を示した下面図。
【図５】図４に示す本体ケースからスイッチ基板を取り外した状態を示した下面図。
【図６】図４に示す本体ユニットの支持部の一つを示した斜視図。
【図７】図２に示すＦ７―Ｆ７線に沿った断面図。
【図８】図２に示すＦ８―Ｆ８線に沿った断面図。
【図９】第２の実施形態に係るポータブルコンピュータの縦方向に沿った断面図。
【発明を実施するための形態】
【００１１】
以下に、図１から図８を参照して、電子機器の第１の実施形態について説明する。本明細書において、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００１２】
図１に示すように、電子機器の一例であるポータブルコンピュータ１１は、本体ユニット１２と、表示ユニット１３と、本体ユニット１２と表示ユニット１３との間に設けられるヒンジ部１４と、を備えている。ヒンジ部１４は、表示ユニット１３を回転可能に支持している。
【００１３】
表示ユニット１３は、ディスプレイ１５と、ディスプレイ１５の周囲を取り囲むように例えば合成樹脂で形成されたディスプレイケース１６と、を有している。ディスプレイ１５の一例として、本実施形態では、液晶ディスプレイが搭載されている。
【００１４】
図１から図４、図７に示すように、本体ユニット１２は、例えば、合成樹脂によって箱状に形成される本体ケース２１と、本体ケース２１の上面に取り付けられたキーボード２２およびタッチパッド２３と、本体ケース２１に略長方形に設けられた開口部２４と、開口部２４の内側に嵌った一対のボタン２５と、本体ケース２１の内部に収容されたメイン基板２６と、本体ケース２１の内部にメイン基板２６とは独立に収容されたスイッチ基板２７と、スイッチ基板２７の両端部を支持するように本体ケース２１の内部に突出した一対の支持部２８と、スイッチ基板２７を補強するための補強板２９と、スイッチ基板２７および補強板２９を支持部２８に固定するためのねじ３０と、を有している。本発明にいう筐体は、本体ケース２１とディスプレイケース１６とを含んだ概念である。また、キーボード２２のキー２２Ａは、その一部のみを示している。
【００１５】
図５に示すように、本体ケース２１は、その内面に、例えばスパッタリング等の手法で形成した金属薄膜であるシールド層３３を有している。シールド層３３は、本体ケース２１内部の回路部品等から発生する電磁波が、本体ケース２１を透過して外部に漏洩したり、逆に外部からの電磁波が本体ケース２１内部の回路部品に悪影響を及ぼしたりすることを阻止する。
【００１６】
補強板２９は、鉄等の金属材料により略方形の枠状に形成されている。補強板２９は、スイッチ基板２７を支持してスイッチ基板２７を補強するだけでなく、スイッチ基板２７とシールド層３３とを電気的に接続する役目も果たしている。補強板２９は、その中央に開口部３８を有している。補強板２９ｂには、左右方向に延びた曲げ構造部３１が前側と後ろ側にそれぞれ設けられており、機械的な強度が向上されている。また、補強板２９は、爪部３２を一対に有しており、これら爪部３２を本体ケース２１の差込部２１Ａに対してそれぞれ差し込んで補強板２９を本体ケース２１に固定することができる。
【００１７】
スイッチ基板２７は、プリント配線板の一例である。また、このスイッチ基板２７は、本体ケース２１の内部に収容される部品の一例でもある。図４、図８に示すように、スイッチ基板２７は、略長方形の板状をなした基板本体３４と、基板本体３４上に取り付けられるスイッチ３５と、を有している。スイッチ３５は、ボタン２５の進退（押し込み）を検知することができる。また、基板本体３４には、後述する位置決めピン４７が通される位置決め孔３６と、ねじ３０が通されるねじ孔３７と、を有している。スイッチ基板２７は、２つの支持部２８の間に掛け渡されている。図７に示されるねじ３０は、固定具の一例である。
【００１８】
図５、図６に示すように、支持部２８は、本体ケース２１の枠状部４０から突出した方形板状の支持部本体４１と、支持部本体４１に設けられる第１の面４２と、第１の面４２に設けられるとともにボタン２５に向けて突出したボス４３と、支持部本体４１の第１の面４２とは反対側に設けられる第２の面４４と、ボス４３の内側に埋め込まれるとともにねじ３０が挿入されるインサート４５と、補強板２９をねじ３０で固定するための凸部４６と、スイッチ基板２７を位置決めするための位置決めピン４７と、を有している。
【００１９】
支持部２８は、本体ケース２１の前後方向に直交する幅方向に分離した位置に一対に設けられており、スイッチ基板２７の長手方向の両端部に対応して設けられている。言い換えると、支持部２８は、開口部２４の両端部に対応する位置に配置されている。図７に示すように、スイッチ基板２７は、支持部２８の第２の面４４に固定されている。ボス４３は、その内部にインサート４５を配置するだけでなく、ボタン２５の最大押し下げ位置を規定するストッパとしての機能を兼ねている。図６に示すように、凸部４６の内側にもインサート４５が埋め込まれている。凸部４６は、ボタン２５の後述する突出部５２と、固定部分２５Ａとの間の位置に設けられている。
【００２０】
ボタン２５は、開口部２４の内側で進退することができる。ボタン２５は、合成樹脂によって形成されている。図５、図６に示すように、ボタン２５は、その後方向に設けられる固定部分２５Ａにおいて、例えば溶着等の手法で本体ケース２１に接着されている。
【００２１】
ボタン２５は、ボタン本体５１と、ボタン本体５１から突出した突出部５２と、固定部分２５Ａと、ボタン本体５１と固定部分２５Ａとの間に設けられるアーム部５３と、を有している。突出部５２は、略十時形をなしている。ボタン２５の突出部５２は、支持部２８のボス４３よりも前方に配置されている。突出部５２は、ボタン本体５１の中央部を示した直線Ａよりも前側の位置に配置されている。ボス４３は、ボタン２５の最大押込み位置で、ボタン本体５１に当接してボタン２５を停止させることができる。ボタン本体５１は、固定部分２５Ａおよびアーム部５３によって、いわゆる片持ちで支持されている。
【００２２】
ここで、図７、図８を参照して、ボタン２５の押し込み動作について説明する。ユーザがボタン２５を押し込むと、まず、図８に示すように、突出部５２がスイッチ基板２７上のスイッチ３５を押し込む。そして、さらにユーザがボタン２５の押し込みを続けると、図７に示すボス４３がボタン本体５１に突き当たって、ボタン２５の移動が停止される。これによって、ユーザによる過度のボタン２５の押し込みによって、スイッチ３５が破損等してしまう事態が防止される。
【００２３】
第１の実施形態によれば、ポータブルコンピュータ１１は、開口部２４が設けられた筐体と、開口部２４の内側で進退可能に嵌ったボタン２５と、筐体の内部に収容されるとともに、ボタン２５の押し込みを検知するスイッチ３５が取り付けられたプリント配線板と、プリント配線板の両端部を支持するように筐体の内部にそれぞれ突出するとともに、ボタン２５のストッパを兼ねた一対の支持部２８と、を具備する。
【００２４】
また、ポータブルコンピュータ１１は、開口部２４が設けられた筐体と、開口部２４の内側で進退可能に嵌ったボタン２５と、筐体の内部に収容される部品と、部品を固定できるように筐体内部に張り出すとともに、ボタン２５のストッパを兼ねた支持部２８と、を具備する。
【００２５】
これらの構成によれば、プリント配線板（部品）を支持するための支持部２８によって、押下げられたボタン２５を停止させることができるため、支持部２８とストッパとを別々に設ける場合に比して、部品点数を削減できる。また、筐体内部における使用スペースを低減することができる。
【００２６】
この場合、支持部２８は、第１の面４２と、第１の面４２に設けられるとともにボタン２５に向けて突出したボス４３と、第１の面４２とは反対側の第２の面４４と、を含み、プリント配線板は、支持部２８の第２の面４４に固定される。
【００２７】
この構成によれば、第２の面４４においてプリント配線板を固定し、第１の面４２のボス４３によってボタン２５のストッパを兼ねることができる。これによって、プリント配線板の支持とボタン２５のストッパを兼ねる構成を簡単な構造で実現することができる。
【００２８】
また、プリント配線板を支持部２８に固定するための固定具を具備し、ボス４３の内側には、固定具が固定されるインサート４５が設けられる。この構成によれば、ボス４３の内側の部分のスペースを有効活用することができ、スペースの使用効率を向上することができる。これによって、さらにポータブルコンピュータ１１の小型化を進めることができる。
【００２９】
続いて、図９を参照して、ポータブルコンピュータ１１の第２の実施形態について説明する。第２の実施形態のポータブルコンピュータ１１は、ボス４３の内部にインサート４５を設けていない点で第１の実施形態のものと異なっているが、他の部分は第１の実施形態と共通している。このため、主として異なる部分について説明し、共通する部分については共通の符号を付して説明を省略する。ポータブルコンピュータ１１は、図１に示す第１の実施形態のものと同様の外観を有する。
【００３０】
支持部２８は、本体ケース２１の枠状部４０から突出した方形板状の支持部本体４１と、支持部本体４１からボタン２５に向けて突出したボス４３と、ボス４３の内側に設けられたねじ穴６１と、補強板２９を固定するための凸部４６と、スイッチ基板２７を位置決めするための位置決めピン４７と、を有している。支持部２８は、本体ケース２１の前後方向に直交する幅方向に分離した位置に一対に設けられており、スイッチ基板２７の長手方向の両端部に対応して設けられている。支持部２８は、開口部２４の両端部に対応する位置に配置されている。凸部４６の内側にインサート４５が埋め込まれている。ねじ穴６１は、固定孔の一例であり、これに対してねじ３０を固定することができる。
【００３１】
第２の実施形態によれば、プリント配線板を支持部２８に固定するための固定具を具備し、ボス４３の内側には、固定具が固定される固定孔が設けられる。この構成によれば、ボス４３の内側に固定孔が設けられるため、ボス４３内部のスペースを有効に活用することができ、スペースの使用効率を向上して、ポータブルコンピュータ１１を小型化することができる。
【００３２】
電子機器は、上記実施形態に示したポータブルコンピュータ１１用に限らず、例えば携帯電話機のようなその他の電子機器に対しても実施可能である。その他、電子機器は、発明の要旨を逸脱しない範囲で種々変形して実施できることは勿論である。
【符号の説明】
【００３３】
１１…ポータブルコンピュータ、２１…本体ケース、２２…キーボード、２４…開口部、２５…ボタン、２７…スイッチ基板、２８…支持部、３０…ねじ、４２…第１の面、４３…ボス、４４…第２の面、４５…インサート
【図１】
2011134497.tif 000003
【図２】
2011134497.tif 000004
【図３】
2011134497.tif 000005
【図４】
2011134497.tif 000006
【図５】
2011134497.tif 000007
【図６】
2011134497.tif 000008
【図７】
2011134497.tif 000009
【図８】
2011134497.tif 000010
【図９】
2011134497.tif 000011
【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
開口部が設けられた筐体と、
前記開口部の内側で進退可能に設けられたボタンと、
前記筐体の内部に収容され、前記ボタンが押し込まれた場合に該ボタンに押圧されるスイッチが取り付けられたプリント配線板と、
前記筐体の内部でそれぞれ突出されて前記プリント配線板の両端部を支持するとともに、押し込まれた前記ボタンに対して押込み方向への移動を抑制可能な一対の支持部と、
前記支持部から前記ボタンに向けて突出され、固定孔が内側に設けられたボスと、
前記固定孔に挿入されて前記プリント配線板と前記支持部とを固定した固定具と、
を具備することを特徴とする電子機器。
【請求項２】
開口部が設けられた筐体と、
前記開口部の内側で進退可能に設けられたボタンと、
前記筐体の内部に収容された部品と、
前記筐体の内部で突出されて前記部品を支持するとともに、前記ボタンのストッパを兼ねた支持部と、
前記支持部に設けられ、前記ボタンに向けて突出されるとともに、インサートが設けられたボスと、
前記インサートに固定され、前記部品と前記支持部とを固定した固定具と、
を具備することを特徴とする電子機器。
【請求項３】
開口部が設けられた筐体と、
前記開口部の内側で進退可能に設けられたボタンと、
前記筐体の内部に収容された部品と、
前記筐体の内部に突出されて前記部品を支持するとともに、前記ボタンのストッパを兼ねた支持部と、
前記支持部に設けられ、前記ボタンに向けて突出されるとともに、固定孔が設けられたボスと、
前記固定孔に挿入され、前記部品と前記支持部とを固定した固定具と、
を具備することを特徴とする電子機器。
【請求項４】
前記部品は、前記ボタンの押し込みを検知するスイッチが取り付けられたプリント配線板であることを特徴とする請求項２または請求項３に記載の電子機器。